(57)【要約】【課題】相手側機器との情報伝送に広帯域な通信経路を設けることなく、相手側機器との間で映像や音声等の情報の同期再生を行なうことを可能とし、ユーザが機器同士を組み合わせて同期再生する際の自由度を向上させることができる情報再生装置及び情報再生方法を提供すること。【解決手段】実施の形態によれば、情報再生装置は、第１の通信手段と取得手段と再生手段と第２の通信手段と制御手段とを備える。取得手段が第１の通信手段を介してネットワーク上のサーバから情報を取得し、再生手段が再生する。制御手段は、第２の通信手段を介して、取得手段で取得した情報の取得場所を示す情報を、スレーブとなる情報再生機器に出力して、情報再生機器を再生準備状態に制御するとともに、再生用の同期クロック、再生要求情報を出力して、情報再生機器を再生状態に制御する。【選択図】図４
2013081155.tif 000002
【特許請求の範囲】
【請求項１】
ネットワークに対して情報伝送を行なう第１の通信手段と、
前記第１の通信手段を介して前記ネットワーク上のサーバにアクセスし、映像及び音声の少なくとも一方を含む情報を取得する取得手段と、
前記取得手段で取得した情報を再生する再生手段と、
スレーブとなる情報再生機器に対して情報伝送を行なう第２の通信手段と、
前記第２の通信手段を介して、前記取得手段で取得した情報の取得場所を示す情報を出力することにより前記情報再生機器を再生準備状態に制御するとともに、前記再生手段による再生用の同期クロック、再生要求情報を出力することにより前記情報再生機器を再生状態に制御する制御手段とを具備する情報再生装置。
【請求項２】
前記制御手段は、前記情報再生機器が再生状態に制御されている状態で、前記第２の通信手段を介して前記再生手段による現在の再生位置を示す情報を定期的に出力することにより、前記再生手段による再生位置と前記情報再生機器による再生位置とを同期させる請求項１記載の情報再生装置。
【請求項３】
前記制御手段は、前記情報再生機器が再生状態に制御されている状態で、前記第２の通信手段を介して定期的に出力される現在の再生位置を示す情報に対する前記情報再生機器からの返信を受信しない場合、前記再生手段による情報の再生を停止させる請求項２記載の情報再生装置。
【請求項４】
前記制御手段は、前記再生手段による情報の再生が停止されている状態で、前記第２の通信手段を介して定期的に出力される現在の再生位置を示す情報に対する前記情報再生機器からの返信を受信した場合、当該返信された情報に含まれる前記情報再生機器の現在の再生位置を示す情報に基づいて、前記再生手段による情報の再生を開始させる請求項３記載の情報再生装置。
【請求項５】
ネットワークに対して情報伝送を行なう第１の通信手段と、
前記第１の通信手段を介して前記ネットワーク上のサーバにアクセスし、映像及び音声の少なくとも一方を含む情報を取得する取得手段と、
前記取得手段で取得した情報を再生する再生手段と、
ホストとなる情報再生機器に対して情報伝送を行なう第２の通信手段と、
前記第２の通信手段を介して前記情報再生機器から、前記情報再生機器が前記ネットワークを介して取得した情報の取得場所を示す情報を受信することにより前記再生手段を再生準備状態に制御するとともに、前記情報再生機器からの再生用の同期クロック、再生要求情報を受信することにより前記再生手段を再生状態に制御する制御手段とを具備する情報再生装置。
【請求項６】
前記制御手段は、前記再生手段が再生状態に制御されている状態で、前記第２の通信手段を介して前記情報再生機器から現在の再生位置を示す情報を定期的に受信することにより、前記再生手段による再生位置を前記情報再生機器による再生位置に同期させる請求項５記載の情報再生装置。
【請求項７】
前記制御手段は、前記再生手段が再生状態に制御されている状態で、前記第２の通信手段を介して前記情報再生機器から現在の再生位置を示す情報を受信しない場合、前記情報再生機器による再生位置と同期させることなく、前記再生手段による情報の再生を行なう請求項６記載の情報再生装置。
【請求項８】
前記制御手段は、前記情報再生機器による再生位置と同期させることなく前記再生手段による情報の再生が行なわれている状態で、前記第２の通信手段を介して前記情報再生機器から定期的に出力される現在の再生位置を示す情報を受信した場合、前記再生手段による情報の再生位置を前記情報再生機器による再生位置に同期させる請求項７記載の情報再生装置。
【請求項９】
ホストとなる第１の情報再生機器が第１の通信手段を介してネットワーク上のサーバにアクセスし、映像及び音声の少なくとも一方を含む情報を取得して再生する工程と、
前記第１の情報再生機器が第２の通信手段を介して、前記第１の情報再生機器が取得した情報の取得場所を示す情報を、スレーブとなる第２の情報再生機器に出力することにより前記第２の情報再生機器を再生準備状態に制御する工程と、
前記第１の情報再生機器が前記第２の通信手段を介して、再生用の同期クロック、再生要求情報を前記第２の情報再生機器に出力することにより前記第２の情報再生機器を再生状態に制御する工程とを有する情報再生方法。
【発明の詳細な説明】
【技術分野】
【０００１】
この発明の実施の形態は、自己に対してホストまたはスレーブとなる相手側機器との間で情報を同期再生する情報再生装置及び情報再生方法に関する。
【背景技術】
【０００２】
周知のように、ホストとなる例えばデジタルテレビジョン放送受信装置等の情報再生機器と、スレーブとなる例えば携帯情報端末等の情報再生機器との相互間で、映像や音声等の情報を同期再生する場合、通常、ホストとなる機器からスレーブとなる機器にストリームを送出して行なうのが一般的である。
【０００３】
ところで、このような手法では、ホストとなる情報再生機器とスレーブとなる情報再生機器とを、有線または無線を問わず情報伝送可能に接続する際、映像や音声等に対応したストリームを伝送可能な広帯域の通信経路を設定する必要が生じ、ユーザが任意の情報再生機器同士を組み合わせて同期再生する場合の自由度が低くなっている。
【先行技術文献】
【特許文献】
【０００４】
【特許文献１】特開２０１１−０３５５０３号公報
【特許文献２】特開２０１０−２８８１５８号公報
【発明の概要】
【発明が解決しようとする課題】
【０００５】
相手側機器との情報伝送に広帯域な通信経路を設けることなく、相手側機器との間で映像や音声等の情報の同期再生を行なうことを可能とし、ユーザが機器同士を組み合わせて同期再生する際の自由度を向上させることができる情報再生装置及び情報再生方法を提供することを目的とする。
【課題を解決するための手段】
【０００６】
実施の形態によれば、情報再生装置は、第１の通信手段と取得手段と再生手段と第２の通信手段と制御手段とを備えている。第１の通信手段は、ネットワークに対して情報伝送を行なう。取得手段は、第１の通信手段を介してネットワーク上のサーバにアクセスし、映像及び音声の少なくとも一方を含む情報を取得する。再生手段は、取得手段で取得した情報を再生する。第２の通信手段は、スレーブとなる情報再生機器に対して情報伝送を行なう。制御手段は、第２の通信手段を介して、取得手段で取得した情報の取得場所を示す情報を出力することにより情報再生機器を再生準備状態に制御するとともに、再生手段による再生用の同期クロック、再生要求情報を出力することにより情報再生機器を再生状態に制御する。
【図面の簡単な説明】
【０００７】
【図１】実施の形態としての情報同期再生システムの一例を概略的に説明するために示すブロック構成図。
【図２】同実施の形態における情報同期再生システムを構成するデジタルテレビジョン放送受信装置の信号処理系の一例を説明するために示すブロック構成図。
【図３】同実施の形態における情報同期再生システムを構成する携帯情報端末の信号処理系の一例を説明するために示すブロック構成図。
【図４】同実施の形態における情報同期再生システムが行なう主要な処理動作の一例を説明するために示すフローチャート。
【図５】同実施の形態におけるデジタルテレビジョン放送受信装置が行なう主要な処理動作の一例を説明するために示すフローチャート。
【図６】同実施の形態における低消費電力モードに設定されたデジタルテレビジョン放送受信装置が行なう主要な処理動作の一例を説明するために示すフローチャート。
【図７】同実施の形態における携帯情報端末が行なう主要な処理動作の一例を説明するために示すフローチャート。
【図８】同実施の形態における単独再生モードに設定された携帯情報端末が行なう主要な処理動作の一例を説明するために示すフローチャート。
【図９】同実施の形態におけるデジタルテレビジョン放送受信装置と携帯情報端末とが行なう再生動作の一例を説明するために示す図。
【発明を実施するための形態】
【０００８】
以下、実施の形態について図面を参照して詳細に説明する。図１は、この実施の形態で説明する情報同期再生システムの一例を概略的に示している。すなわち、この情報同期再生システムは、ホストとなる情報再生機器としてのデジタルテレビジョン放送受信装置１１と、スレーブとなる情報再生機器としての携帯情報端末１２とを備えている。
【０００９】
このうち、デジタルテレビジョン放送受信装置１１は、例えばインターネット等のネットワーク回線網１３に接続されており、ネットワーク回線網１３上に存在する各種のサーバ１４１……１４ｎに任意選択的にアクセスし、そこで提供している情報を取得して映像や音声等を再生することができる。
【００１０】
また、上記携帯情報端末１２も、ネットワーク回線網１３に接続されており、各種のサーバ１４１〜１４ｎに任意選択的にアクセスし、そこで提供している情報を取得して映像や音声等を再生することができる。なお、この携帯情報端末１２としては、例えばスマートフォン等が想定されるところである。
【００１１】
そして、上記デジタルテレビジョン放送受信装置１１と携帯情報端末１２とは、情報伝送可能に接続されている。この情報伝送には、映像や音声等に対応したストリームを伝送可能な広帯域の通信経路を設定する必要はなく、例えば赤外線や電波等を伝送媒体とした無線伝送、インターネットやホームネットワーク回線網等を利用した有線伝送等が想定される。
【００１２】
上記のように構成された情報同期再生システムにおいて、以下、その動作の概要について説明する。すなわち、ホストとなるデジタルテレビジョン放送受信装置１１は、ユーザの操作に基づいて、所望のサーバ（例えばサーバ１４１）にアクセスし、そこから所望の情報を取得して映像や音声等の再生を行なうことができる。
【００１３】
この場合、デジタルテレビジョン放送受信装置１１は、ユーザの操作に基づいて、スレーブとなる携帯情報端末１２に対して同じサーバ１４１にアクセスして同じ情報を取得するように指示することができる。これにより、携帯情報端末１２は、取得した情報に基づいて映像や音声等の再生を行なうことができる。
【００１４】
このように、デジタルテレビジョン放送受信装置１１と携帯情報端末１２とが、それぞれ同じ情報を取得して再生可能とした状態においては、１つの動作例として、デジタルテレビジョン放送受信装置１１で映像を再生し、携帯情報端末１２で音声を再生するという使用形態をとることができる。
【００１５】
このような使用形態をとる理由としては、例えばデジタルテレビジョン放送受信装置１１が対応しておらず携帯情報端末１２が対応しているデータ形式の音声を再生する場合、複数人で視聴する際に各人の聴取する言語（日本語、英語、中国語等）が異なる場合、デジタルテレビジョン放送受信装置１１の音量を大きくできず手元の携帯情報端末１２で音声を聴取する必要がある場合等が考えられる。
【００１６】
この使用形態をとる場合、デジタルテレビジョン放送受信装置１１は、ユーザの操作に基づいて、携帯情報端末１２に対して、情報の取得場所、音声再生を行なうこと、再生する音声のデータ形式、選択する言語、音声再生の開始位置等を示す各種の情報や、再生される音声をデジタルテレビジョン放送受信装置１１で再生される映像と同期させるためのクロック等を出力する。
【００１７】
これにより、スレーブとなる携帯情報端末１２では、デジタルテレビジョン放送受信装置１１から供給された各種の情報やクロック等に基づいて、ユーザの所望する音声を、デジタルテレビジョン放送受信装置１１で再生される映像に同期させて再生することができるようになる。
【００１８】
上記した情報同期再生システムによれば、デジタルテレビジョン放送受信装置１１と携帯情報端末１２との間で、映像や音声等に対応したストリームを伝送することなく、つまり、映像や音声等に対応したストリームを伝送可能な広帯域の通信経路を設置することなく、デジタルテレビジョン放送受信装置１１で再生される映像と携帯情報端末１２で再生される音声とを同期させることができるようになる。
【００１９】
このため、例えば、ホスト機器が対応していないデータ形式の音声をスレーブ機器で再生したり、複数人がそれぞれスレーブ機器を持って異なる言語で音声を聴取したりするというように、ユーザが機器同士を組み合わせて同期再生を行なう際の自由度を格段に向上させることができる。
【００２０】
図２は、上記デジタルテレビジョン放送受信装置１１における信号処理系の一例を示している。すなわち、アンテナ１５で受信したデジタルテレビジョン放送信号は、入力端子１６を介してチューナ部１７に供給されることにより、所望のチャンネルの放送信号が選局される。
【００２１】
このチューナ部１７で選局された放送信号は、復調復号部１８に供給されてデジタルの映像信号及び音声信号等に復元された後、信号処理部１９に出力される。この信号処理部１９は、復調復号部１８から供給されたデジタルの映像信号及び音声信号に対してそれぞれ所定のデジタル信号処理を施している。
【００２２】
そして、この信号処理部１９は、デジタルの映像信号を合成処理部２０に出力し、デジタルの音声信号を音声処理部２１に出力している。このうち、合成処理部２０は、信号処理部１９から供給されるデジタルの映像信号に、ＯＳＤ（on screen display）信号を重畳して出力している。
【００２３】
この合成処理部２０から出力されたデジタルの映像信号は、映像処理部２２に供給されて、後段の映像表示部２３で映像表示可能なフォーマットに変換される。そして、この映像処理部２２から出力された映像信号が、上記映像表示部２３に供給されて映像表示に供される。
【００２４】
また、上記音声処理部２１は、入力されたデジタルの音声信号を、後段のスピーカ２４で再生可能なフォーマットのアナログ音声信号に変換している。そして、この音声処理部２１から出力されたアナログ音声信号が、上記スピーカ２４に供給されることにより音声再生に供される。
【００２５】
ここで、このデジタルテレビジョン放送受信装置１１は、上記した各種の受信動作を含むその全ての動作を制御部２５によって統括的に制御されている。この制御部２５は、ＣＰＵ（central processing unit）２５ａを内蔵しており、デジタルテレビジョン放送受信装置１１の本体に設置された操作部２６からの操作情報を受けて、または、リモートコントローラ２７から送出され受信部２８で受信した操作情報を受けて、その操作内容が反映されるように各部をそれぞれ制御している。
【００２６】
この場合、制御部２５は、メモリ部２５ｂを利用している。このメモリ部２５ｂは、主として、ＣＰＵ２５ａが実行する制御プログラムを格納したＲＯＭ（read only memory）と、該ＣＰＵ２５ａに作業エリアを提供するためのＲＡＭ（random access memory）と、各種の設定情報及び制御情報等が格納される不揮発性メモリとを有している。
【００２７】
また、この制御部２５には、ＨＤＤ（hard disk drive）２９が接続されている。この制御部２５は、ユーザによる操作部２６やリモートコントローラ２７の操作に基づいて、上記復調復号部１８から得られるデジタルの映像信号及び音声信号を、記録再生処理部３０によって暗号化し所定の記録フォーマットに変換した後、ＨＤＤ２９に供給してハードディスク２９ａに記録させるように制御することができる。
【００２８】
さらに、この制御部２５は、ユーザによる操作部２６やリモートコントローラ２７の操作に基づいて、ＨＤＤ２９によりハードディスク２９ａからデジタルの映像信号及び音声信号を読み出させ、上記記録再生処理部３０によって復号化した後、信号処理部１９に供給することによって、以後、上記した映像表示及び音声再生に供させるように制御することができる。
【００２９】
また、上記デジタルテレビジョン放送受信装置１１には、その外部からデジタルの映像信号及び音声信号を直接入力するための入力端子３１が設けられている。この入力端子３１を介して入力されたデジタルの映像信号及び音声信号は、上記制御部２５の制御に基づいて、記録再生処理部３０を介した後、信号処理部１９に供給されて、以後、上記した映像表示及び音声再生に供される。
【００３０】
さらに、この入力端子３１を介して入力されたデジタルの映像信号及び音声信号は、制御部２５の制御に基づいて、記録再生処理部３０を介した後、ＨＤＤ２９によるハードディスク２９ａに対しての記録再生に供される。
【００３１】
また、上記制御部２５には、近距離無線通信用インターフェース部３２が接続されている。この近距離無線通信用インターフェース部３２は、例えば赤外線等を伝送媒体とした近距離無線通信を行なうためのもので、これにより、制御部２５は、上記携帯情報端末１２との双方向の情報伝送を行なうことができる。
【００３２】
さらに、上記制御部２５には、ネットワーク回線網用インターフェース部３３が接続されている。このネットワーク回線網用インターフェース部３３は、上記したネットワーク回線網１３に接続されており、これにより、制御部２５は、ネットワーク回線網１３上に存在する各種のサーバ１４１……１４ｎに任意選択的にアクセスして、所望の情報を取得することができる。
【００３３】
また、上記制御部２５は、スレーブ機器通信制御部２５ｃを備えている。このスレーブ機器通信制御部２５ｃは、上記近距離無線通信用インターフェース部３２を介して、スレーブ機器となる携帯情報端末１２に対する各種の指示情報及び同期用クロック等の送出処理や、携帯情報端末１２からの返信情報の解析処理等を制御している。
【００３４】
図３は、上記携帯情報端末１２における信号処理系の一例を示している。すなわち、この携帯情報端末１２は、その全ての動作を総括的に制御する制御部３４を備え、この制御部３４に対して、電話通信処理部３５、タッチパネル構造の表示部３６、スピーカ３７、マイクロホン３８、操作部３９、近距離無線通信用インターフェース部４０及びネットワーク回線網用インターフェース部４１等が接続されている。
【００３５】
この制御部３４は、ＣＰＵ３４ａを内蔵し、表示部３６のタッチパネルや操作部３９からの操作情報を受けて、その操作内容が反映されるように各部をそれぞれ制御している。この場合、制御部３４は、メモリ部３４ｂを利用している。このメモリ部３４ｂは、主として、ＣＰＵ３４ａが実行する制御プログラムを格納したＲＯＭと、該ＣＰＵ３４ａに作業エリアを提供するためのＲＡＭと、各種の設定情報及び制御情報等が格納される不揮発性メモリとを有している。
【００３６】
また、上記近距離無線通信用インターフェース部４０は、例えば赤外線等を伝送媒体とした近距離無線通信を行なうためのもので、これにより、制御部３４は、上記デジタルテレビジョン放送受信装置１１との双方向の情報伝送を行なうことができる。
【００３７】
さらに、上記ネットワーク回線網用インターフェース部４１は、上記したネットワーク回線網１３に接続されており、これにより、制御部３４は、ネットワーク回線網１３上に存在する各種のサーバ１４１……１４ｎに任意選択的にアクセスすることができる。
【００３８】
また、上記制御部３４は、ホスト機器通信制御部３４ｃを備えている。このホスト機器通信制御部３４ｃは、上記近距離無線通信用インターフェース部４０を介してホスト機器となるデジタルテレビジョン放送受信装置１１から受信された各種の指示情報及び同期用クロック等の解析処理や、デジタルテレビジョン放送受信装置１１に対する返信情報の送出処理等を制御している。
【００３９】
図４は、上記した情報同期再生システムが行なう主要な処理動作の一例をまとめたフローチャートを示している。すなわち、デジタルテレビジョン放送受信装置１１は、ユーザの操作に基づく再生指示を受けると、ステップＳ４ａで、再生準備を実行する。この再生準備での処理としては、ユーザの指示するサーバ（例えばサーバ１４１）にアクセスしてユーザの指示する情報を取得し、その情報ストリームの属性情報やコーデック情報等を解析して、いつでも再生できる状態（例えばポーズ状態）にすることである。
【００４０】
そして、再生準備が完了すると、デジタルテレビジョン放送受信装置１１は、ステップＳ４ｂで、携帯情報端末１２に対してその再生能力を問い合わせる。携帯情報端末１２に問い合わせる内容としては、例えばコーデックタイプ（Ｈ．２６４、ＭＰＥＧ２及びＷＭＶ９）やサポートフォーマット（ＭＰＥＧ２−ＴＳ，ＰＳ、ＡＳＦ、ＭＫＶ、ｍｐ４及びＡＶＩ）等である。
【００４１】
これにより、携帯情報端末１２は、ステップＳ４ｃで、自己の再生能力を示す情報を返信する。すると、デジタルテレビジョン放送受信装置１１は、先に行なった再生準備により取得した再生に必要な要件と、携帯情報端末１２から返信された再生能力を示す情報とを照合することにより、携帯情報端末１２に再生可能な条件が備えられているか否かを判別する。
【００４２】
そして、再生条件が満たされている場合、デジタルテレビジョン放送受信装置１１は、ステップＳ４ｄで、情報の取得場所を示す再生ＵＲＬ（uniform resource locator）と、再生モードを指定する情報とを携帯情報端末１２に送出する。この再生モードを指定する情報としては、映像及び音声の両方の再生であるか映像のみの再生であるか音声のみの再生であるかを示す情報、音声トラック（例えば言語に対応）を指定する情報、映像トラック（例えばアングルに対応）を指定する情報等である。
【００４３】
すると、携帯情報端末１２は、ステップＳ４ｅで、再生ＵＲＬに基づいてサーバ（この場合サーバ１４１）にアクセスし、先にデジタルテレビジョン放送受信装置１１が取得した情報と同じ情報を取得して、いつでも再生できる状態（例えばポーズ状態）に再生準備を行ない、再生準備が完了すると、ステップＳ４ｆで、デジタルテレビジョン放送受信装置１１に完了通知を返信する。
【００４４】
上記したステップＳ４ａ乃至Ｓ４ｆの処理により、デジタルテレビジョン放送受信装置１１と携帯情報端末１２とが共に、同じ情報をいつでも再生できる状態に設定される。
【００４５】
このようにして、携帯情報端末１２から再生準備の完了通知を受信したデジタルテレビジョン放送受信装置１１は、ステップＳ４ｇで、携帯情報端末１２とのクロック同期処理を開始するために、携帯情報端末１２にシステムクロックを送出する。このシステムクロックは、再生の基準となるクロックであり、一般的にはＳＴＣ（system time clock）が用いられる。
【００４６】
すると、携帯情報端末１２は、デジタルテレビジョン放送受信装置１１から供給されたシステムクロックに、自己の管理しているシステムクロックを同期化させる処理を実行して、ステップＳ４ｈで、デジタルテレビジョン放送受信装置１１に同期化完了通知を返信する。
【００４７】
また、デジタルテレビジョン放送受信装置１１のシステムクロックに携帯情報端末１２のシステムクロックを同期化させる処理を行なうことは、デジタルテレビジョン放送受信装置１１と携帯情報端末１２との相互間における通信遅延時間δを求めることも目的としている。
【００４８】
すなわち、デジタルテレビジョン放送受信装置１１におけるシステムクロックの送出時刻をＴｓ、携帯情報端末１２からの同期化完了通知の受信時刻をＴｒとし、携帯情報端末１２におけるシステムクロックの受信時刻をｔｒ、デジタルテレビジョン放送受信装置１１への同期化完了通知の送出時刻をｔｓとすると、デジタルテレビジョン放送受信装置１１と携帯情報端末１２との相互間における往復の通信遅延時間δは、
δ＝（Ｔｒ−Ｔｓ）−（ｔｓ−ｔｒ）
で算出することができる。
【００４９】
上記したステップＳ４ｇ及びＳ４ｈの処理により、デジタルテレビジョン放送受信装置１１と携帯情報端末１２との相互間におけるクロック同期処理と往復の通信遅延時間δの算出処理とが行なわれる。
【００５０】
その後、デジタルテレビジョン放送受信装置１１は、ステップＳ４ｉで、携帯情報端末１２に対して再生開始を指示するplayコマンドを送出し、このplayコマンドを受けた携帯情報端末１２は再生準備状態から再生状態に移行し、上記再生ＵＲＬで指定された場所から取得した情報を、上記再生モードで指定された内容に基づいて再生する。そして、携帯情報端末１２は、ステップＳ４ｊで、再生状態になった旨を示す情報をデジタルテレビジョン放送受信装置１１に返信する。
【００５１】
一方、デジタルテレビジョン放送受信装置１１は、携帯情報端末１２との通信を行なう際、往路の通信遅延時間と復路の通信遅延時間とが同じであると仮定すると、先に算出した携帯情報端末１２との相互間における往復の通信遅延時間δにより、playコマンドを送出してからδ／２経過後に再生準備状態から再生状態に移行することによって、携帯情報端末１２との間で情報の同期再生を行なうことができる。
【００５２】
上記したステップＳ４ｉ及びＳ４ｊの処理により、デジタルテレビジョン放送受信装置１１と携帯情報端末１２との相互間において、例えば、デジタルテレビジョン放送受信装置１１で映像、携帯情報端末１２で音声の同期再生を開始することができる。
【００５３】
このように、デジタルテレビジョン放送受信装置１１と携帯情報端末１２との相互間において同期再生が開始されると、以後、デジタルテレビジョン放送受信装置１１は、定期的（例えば１０秒毎）に、ステップＳ４ｋに示すように、システムクロックと現在の再生時間Ｔｐとを携帯情報端末１２に送出する。
【００５４】
また、携帯情報端末１２は、ステップＳ４ｌで、システムクロックと再生時間Ｔｐとを受信した旨を示す情報をデジタルテレビジョン放送受信装置１１に返信する。この場合、上記再生時間Ｔｐは、ストリームの再生位置を示す情報であり、一般的にはＰＴＳ（presentation time stamp）が用いられる。
【００５５】
ここで、デジタルテレビジョン放送受信装置１１から携帯情報端末１２に定期的にシステムクロックを送出する理由は、携帯情報端末１２が移動した場合におけるデジタルテレビジョン放送受信装置１１と携帯情報端末１２との相互間の通信遅延時間δの算出と、デジタルテレビジョン放送受信装置１１と携帯情報端末１２との間の長期ジッタの低減を図ることを目的としている。
【００５６】
また、デジタルテレビジョン放送受信装置１１から携帯情報端末１２に定期的に再生時間Ｔｐを送出する理由は、デジタルテレビジョン放送受信装置１１の再生位置と携帯情報端末１２の再生位置とを合わせることを目的としている。すなわち、デジタルテレビジョン放送受信装置１１は、再生時間Ｔｐから通信遅延時間δ／２を減算して携帯情報端末１２に送出し、携帯通信端末１２は、受信した再生時間Ｔｐに自己の再生時間Ｔｐを合わせることにより、デジタルテレビジョン放送受信装置１１と携帯情報端末１２との間で再生時間Ｔｐの同期を図ることができる。
【００５７】
上記した実施の形態によれば、デジタルテレビジョン放送受信装置１１と携帯情報端末１２との間に、つまり、映像や音声等に対応したストリームを伝送可能な広帯域の通信経路を設置することなく、デジタルテレビジョン放送受信装置１１で再生される情報（例えば映像）と携帯情報端末１２で再生される情報（例えば音声）とを同期させることができるようになり、ユーザが機器同士を組み合わせて同期再生を行なう際の自由度を格段に向上させることができる。
【００５８】
次に、デジタルテレビジョン放送受信装置１１と携帯情報端末１２との相互間で情報の同期再生が開始され、デジタルテレビジョン放送受信装置１１から携帯情報端末１２に定期的にシステムクロックと再生時間Ｔｐとが送出され、携帯情報端末１２からデジタルテレビジョン放送受信装置１１にその返信が行なわれている、いわゆる、正常な同期再生状態で、携帯情報端末１２がデジタルテレビジョン放送受信装置１１との通信範囲外に移動された場合の処理動作について説明する。
【００５９】
図５は、携帯情報端末１２が通信範囲外に移動された場合に、ホストとなるデジタルテレビジョン放送受信装置１１が行なう主要な処理動作の一例をまとめたフローチャートを示している。すなわち、処理が開始（ステップＳ５ａ）されると、デジタルテレビジョン放送受信装置１１は、ステップＳ５ｂで、携帯情報端末１２に対してシステムクロックと再生時間Ｔｐとを送出し、ステップＳ５ｃで、携帯情報端末１２からの返信を受信したか否かを判別する。
【００６０】
そして、携帯情報端末１２からの返信を受信したと判断された場合（ＹＥＳ）、デジタルテレビジョン放送受信装置１１は、ステップＳ５ｄで、所定時間（例えば１０秒）経過するまで待機した後、ステップＳ５ｂの処理に移行される。
【００６１】
また、上記ステップＳ５ｃで携帯情報端末１２からの返信を受信していないと判断された場合（ＮＯ）、デジタルテレビジョン放送受信装置１１は、ステップＳ５ｅで、自己を自動的に低消費電力モードに設定して、処理を終了（ステップＳ５ｆ）する。
【００６２】
この場合、低消費電力モードとは、例えば上記映像表示部２３に使用されているバックライト（図示せず）を消灯させる等の手段を用いることにより、デジタルテレビジョン放送受信装置１１における情報再生動作を停止させて消費電力の低減を図るようにしたものである。
【００６３】
すなわち、デジタルテレビジョン放送受信装置１１が携帯情報端末１２からの返信を受信しないということは、ユーザが携帯情報端末１２を持ってデジタルテレビジョン放送受信装置１１との通信が可能な範囲外に移動した可能性が高く、ユーザがデジタルテレビジョン放送受信装置１１の表示映像を視認していないと判断することができる。このため、デジタルテレビジョン放送受信装置１１の再生動作を自動的に停止させて消費電力の削減を図るようにしている。
【００６４】
なお、デジタルテレビジョン放送受信装置１１が低消費電力モードに設定されて、情報の再生動作が停止された場合でも、携帯情報端末１２では、情報（例えば音声）の再生がそのまま継続して行なわれる。
【００６５】
また、携帯情報端末１２は、デジタルテレビジョン放送受信装置１１との通信範囲外に移動されて、デジタルテレビジョン放送受信装置１１からのシステムクロック及び再生時間Ｔｐが受信されなくなった場合に、音声の再生に加えて映像の再生も自動的に行なうようにすれば、ユーザは、携帯情報端末１２を持って移動した際にも、そのまま映像及び音声を継続して視聴することができる。
【００６６】
図６は、上記した低消費電力モードに設定された状態において、デジタルテレビジョン放送受信装置１１が行なう主要な処理動作の一例をまとめたフローチャートを示している。すなわち、低消費電力モードに設定された状態で処理が開始（ステップＳ６ａ）されると、デジタルテレビジョン放送受信装置１１は、ステップＳ６ｂで、携帯情報端末１２に対して現在再生している位置を示す再生時間Ｔｐを問い合わせ、ステップＳ６ｃで、携帯情報端末１２からの返信を受信したか否かを判別する。
【００６７】
そして、携帯情報端末１２からの返信を受信していないと判断された場合（ＮＯ）、デジタルテレビジョン放送受信装置１１は、ステップＳ６ｄで、所定時間（例えば１０秒）経過するまで待機した後、ステップＳ６ｂの処理に移行される。
【００６８】
また、上記ステップＳ６ｃで携帯情報端末１２からの返信を受信したと判断された場合（ＹＥＳ）、デジタルテレビジョン放送受信装置１１は、ステップＳ６ｅで、低消費電力モードを解除して、上記映像表示部２３に使用されているバックライト（図示せず）を点灯させ、ステップＳ６ｆで、情報をいつでも再生できる再生準備状態（例えばポーズ状態）に設定される。
【００６９】
その後、デジタルテレビジョン放送受信装置１１は、ステップＳ６ｇで、先にステップＳ６ｃで受信したと判断された携帯情報端末１２からの返信に含まれている、携帯情報端末１２が現在再生している位置を示す再生時間Ｔｐに基づいて、自己の再生すべき位置を検索し、ステップＳ６ｈで、検索した再生位置から情報の再生を再開して、処理を終了（ステップＳ６ｉ）する。
【００７０】
すなわち、デジタルテレビジョン放送受信装置１１が携帯情報端末１２と通信不可になり、低消費電力モードに設定された状態で、デジタルテレビジョン放送受信装置１１は、携帯情報端末１２に対して現在再生している位置を示す再生時間Ｔｐの問い合わせを定期的に実行する。
【００７１】
そして、その問い合わせに返信があった場合、デジタルテレビジョン放送受信装置１１は、携帯情報端末１２と通信可能になったと判断し、携帯情報端末１２が現在再生している位置から情報の再生を再開する。これにより、再び、デジタルテレビジョン放送受信装置１１で映像、携帯情報端末１２で音声を同期再生させることができるようになる。
【００７２】
なお、先に述べたように、携帯情報端末１２が、デジタルテレビジョン放送受信装置１１との通信範囲外に移動されて、デジタルテレビジョン放送受信装置１１からのシステムクロック及び再生時間Ｔｐが受信されなくなった場合に、音声の再生に加えて映像の再生も行なうようになっていた場合には、デジタルテレビジョン放送受信装置１１との通信が可能になった状態で、自動的に音声のみの再生を行なうように切り替えられる。
【００７３】
図７は、デジタルテレビジョン放送受信装置１１から通信範囲外に移動された場合に、スレーブとなる携帯情報端末１２が行なう主要な処理動作の一例をまとめたフローチャートを示している。すなわち、処理が開始（ステップＳ７ａ）されると、携帯情報端末１２は、ステップＳ７ｂで、デジタルテレビジョン放送受信装置１１から供給される再生時間Ｔｐに自己の再生時間Ｔｐを同期させる同期処理を行ない、ステップＳ７ｃで、同期処理後の自己の再生時間Ｔｐをデジタルテレビジョン放送受信装置１１に送出する。
【００７４】
その後、携帯情報端末１２は、ステップＳ７ｄで、所定時間（例えば１０秒）以内にデジタルテレビジョン放送受信装置１１から送出される再生時間Ｔｐを受信したか否かを判別し、受信したと判断された場合（ＹＥＳ）、ステップＳ７ｂの処理に移行される。
【００７５】
また、上記ステップＳ７ｄで所定時間（例えば１０秒）以内にデジタルテレビジョン放送受信装置１１から送出される再生時間Ｔｐを受信していないと判断された場合（ＮＯ）、携帯情報端末１２は、ステップＳ７ｅで、自己を自動的に単独再生モードに設定して、処理を終了（ステップＳ７ｆ）する。
【００７６】
この場合、単独再生モードとは、携帯情報端末１２が、その再生時間Ｔｐを、デジタルテレビジョン放送受信装置１１から供給される再生時間Ｔｐに同期させることなく、情報の再生を単独で行なうようにしたものである。なお、再生する内容としては、音声のみでも良いが、映像と音声とを共に再生するようしても良いものである。
【００７７】
すなわち、携帯情報端末１２がデジタルテレビジョン放送受信装置１１からの再生時間Ｔｐを所定時間以内に受信しないということは、ユーザが携帯情報端末１２を持ってデジタルテレビジョン放送受信装置１１との通信が可能な範囲外に移動した可能性が高く、ユーザがデジタルテレビジョン放送受信装置１１の表示映像を視認していないと判断することができる。このため、携帯情報端末１２を自動的に単独再生モードに設定して、ユーザが情報を継続して視聴できるようにしている。
【００７８】
図８は、上記した単独再生モードに設定された状態において、携帯情報端末１２が行なう主要な処理動作の一例をまとめたフローチャートを示している。すなわち、処理が開始（ステップＳ８ａ）され、ステップＳ８ｂで、単独再生モードでの動作実行中において、携帯情報端末１２は、ステップＳ８ｃで、デジタルテレビジョン放送受信装置１１からの再生時間Ｔｐの問い合わせが受信されたか否かを判別する。
【００７９】
そして、デジタルテレビジョン放送受信装置１１からの再生時間Ｔｐの問い合わせが受信されていないと判断された場合（ＮＯ）、携帯情報端末１２は、ステップＳ８ｂの処理に移行され、問い合わせが受信されたと判断された場合（ＹＥＳ）、ステップＳ８ｄで、現在の再生時間Ｔｐをデジタルテレビジョン放送受信装置１１に送出し、ステップＳ８ｅで、単独再生モードを解除して、処理を終了（ステップＳ８ｆ）する。
【００８０】
すなわち、デジタルテレビジョン放送受信装置１１と通信不可になった携帯情報端末１２は、デジタルテレビジョン放送受信装置１１からの再生時間Ｔｐの問い合わせを受信した場合、デジタルテレビジョン放送受信装置１１と通信可能になったと判断し、現在再生している位置を示す再生時間Ｔｐを送出する。これにより、再び、デジタルテレビジョン放送受信装置１１で映像、携帯情報端末１２で音声を同期再生させることができるようになる。
【００８１】
図９は、図５乃至図８で説明した動作例を用いて、デジタルテレビジョン放送受信装置１１と携帯情報端末１２とが行なう再生動作の一例を示している。すなわち、図９（ａ）に示すように、時刻Ｔ１で再生が開始された場合、時刻Ｔ４で再生が終了する情報（映像及び音声を含む）を、デジタルテレビジョン放送受信装置１１と携帯情報端末１２とがそれぞれサーバ（例えばサーバ１４１）から取得して再生する場合を考える。
【００８２】
この場合、再生が開始された時刻Ｔ１では、デジタルテレビジョン放送受信装置１１と携帯情報端末１２とが相互に通信可能な状態にあり、デジタルテレビジョン放送受信装置１１は、図９（ｂ）に示すように映像を再生し、携帯情報端末１２は図９（ｃ）に示すように音声を再生しているものとする。
【００８３】
このような状態において、任意の時刻Ｔ２で、デジタルテレビジョン放送受信装置１１と携帯情報端末１２とが通信不可能な状態になったとする。すると、デジタルテレビジョン放送受信装置１１は低消費電力モードで再生停止状態となり、携帯情報端末１２は、単独再生モードで映像と音声とを共に再生する状態となる。
【００８４】
その後、任意の時刻Ｔ３で、再び、デジタルテレビジョン放送受信装置１１と携帯情報端末１２とが通信可能な状態になると、デジタルテレビジョン放送受信装置１１は映像の再生状態となり、携帯情報端末１２は音声の再生状態になる。
【００８５】
ここで、上記した実施の形態では、ホストとしてデジタルテレビジョン放送受信装置１１、スレーブとして携帯情報端末１２を例に説明したが、これに限らず、例えば光ディスク記録再生機器、ＳＴＢ（set top box）及びＰＣ（personal computer）等のように種々の情報再生機器を使用することができる。
【００８６】
また、上記した実施の形態では、スレーブとして１つの携帯情報端末１２を例に説明したが、これに限らず、複数の情報再生機器をスレーブとして設置するようにしても良いものである。この場合、ホストとなる情報再生機器は、スレーブとなる複数の情報再生機器とそれぞれ個別に通信を行なって、情報の同期再生を行なうようにする。
【００８７】
例えば、ホストとなる情報再生機器は、スレーブとなる複数の情報再生機器を用いてマルチチャンネル音声のサラウンド再生を行なうことができる。このとき、例えば、ホストとなる情報再生機器は、スレーブとなる複数の情報再生機器との相互間における通信遅延時間をそれぞれ算出しているため、その通信遅延時間からスレーブとなる各情報再生機器との距離を算出することが可能となる。このため、この算出された距離情報を用いて、スレーブとなる各情報再生機器で再生される音声を、サラウンド音声出力として最適化することが可能となる。
【００８８】
さらに、上記した実施の形態では、デジタルテレビジョン放送受信装置１１と携帯情報端末１２とが、ネットワーク回線網１３上のサーバ１４１〜１４ｎから映像及び音声を含む情報を取得して再生することについて説明したが、これに限らず、例えば、デジタルテレビジョン放送受信装置１１が映像情報のみを取得し、携帯情報端末１２が音声情報のみを取得して再生することも可能である。
【００８９】
また、ホスト機器の再生時にネットワーク回線網１３上のストレージに再生コンテンツをファイルとして保存することにより、スレーブ機器とデータのシェアリングを行なうことが可能となる。
【００９０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００９１】
１１…デジタルテレビジョン放送受信装置、１２…携帯情報端末、１３…ネットワーク回線網、１４１〜１４ｎ…サーバ、１５…アンテナ、１６…入力端子、１７…チューナ部、１８…復調復号部、１９…信号処理部、２０…合成処理部、２１…音声処理部、２２…映像処理部、２３…映像表示部、２４…スピーカ、２５…制御部、２５ａ…ＣＰＵ、２５ｂ…メモリ部、２５ｃ…スレーブ機器通信制御部、２６…操作部、２７…リモートコントローラ、２８…受信部、２９…ＨＤＤ、２９ａ…ハードディスク、３０…記録再生処理部、３１…入力端子、３２…近距離無線通信用インターフェース部、３３…ネットワーク回線網用インターフェース部、３４…制御部、３４ａ…ＣＰＵ、３４ｂ…メモリ部、３４ｃ…ホスト機器通信制御部、３５…電話通信処理部、３６…表示部、３７…スピーカ、３８…マイクロホン、３９…操作部、４０…近距離無線通信用インターフェース部、４１…ネットワーク回線網用インターフェース部。
【図１】
2013081155.tif 000003
【図２】
2013081155.tif 000004
【図３】
2013081155.tif 000005
【図４】
2013081155.tif 000006
【図５】
2013081155.tif 000007
【図６】
2013081155.tif 000008
【図７】
2013081155.tif 000009
【図８】
2013081155.tif 000010
【図９】
2013081155.tif 000011